【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
ネットワークを介して複数の広告主端末装置およびユーザ端末装置に接続された広告表示サーバ装置であって、
前記広告主端末装置から広告用キーワードを受信する広告用キーワード受信手段と、
複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出手段と、
前記申込ユニット価格の情報を前記広告主端末装置に送信する申込ユニット価格送信手段と、
前記申込ユニット価格で前記広告用キーワードに対して申し込まれた申込ユニット数の情報を前記広告主端末装置から受信する申込ユニット数受信手段と、
前記ユーザ端末装置から検索用キーワードを受信する検索用キーワード受信手段と、
前記検索用キーワードを受信した際、前記広告用キーワード、前記申込ユニット数、および、広告コンテンツを関連付けて記憶する記憶手段内を参照して、前記検索用キーワードと関連する広告用キーワードを決定し、当該決定された広告用キーワードに関連付けて記憶された前記申込ユニット数および広告コンテンツを抽出する広告抽出手段と、
前記抽出された広告コンテンツを表示するための表示優先順位を、前記申込ユニット数に基づき決定する表示優先順位決定手段と、
を備えたことを特徴とする広告表示サーバ装置。
【請求項２】
請求項１に記載の広告表示サーバ装置において、
前記抽出された広告コンテンツを前記表示優先順位に従って配列した広告リストを生成する広告リスト生成手段と、
前記検索用キーワードに応じた検索結果に前記広告リストを加えた検索結果ページを生成する検索結果ページ生成手段と、
前記検索結果ページを前記ユーザ端末装置に送信する検索結果送信手段と、
を更に備えたことを特徴とする広告表示サーバ装置。
【請求項３】
請求項２に記載の広告表示サーバ装置において、
前記広告リスト生成手段が、所定の数の前記広告コンテンツを前記広告リストに配列し、
前記広告リストに広告コンテンツが配列された場合に、当該広告リストに配列された広告コンテンツと関連付けて前記記憶手段に記憶されている前記申込ユニット数を減算する申込ユニット数減算手段を更に備えたことを特徴とする広告表示サーバ装置。
【請求項４】
請求項３に記載の広告表示サーバ装置において、
前記申込ユニット数減算手段が、前記表示優先順位に応じて前記申込ユニット数から減算するユニット数を決定することを特徴とする広告表示サーバ装置。
【請求項５】
請求項１から請求項４のいずれか１項に記載の広告表示サーバ装置において、
各広告用キーワードに対して、申し込みができる前記申込ユニット数を制限する申込ユニット数制限手段を更に備えたことを特徴とする広告表示サーバ装置。
【請求項６】
請求項１から請求項５のいずれか１項に記載の広告表示サーバ装置において、
前記申込ユニット価格算出手段は、複数の前記広告主端末装置からの申込ユニット数の合計に基づいて、前記申込ユニット価格を算出することを特徴とする広告表示サーバ装置。
【請求項７】
請求項６に記載の広告表示サーバ装置において、
前記申込ユニット価格算出手段は、前記合計の申込ユニット数の増加に応じて、前記申込ユニット価格を上昇させることを特徴とする広告表示サーバ装置。
【請求項８】
請求項１から請求項７のいずれか１項に記載の広告表示サーバ装置において、
前記申込ユニット価格算出手段は、前記申込ユニット数および前記広告用キーワードの検索の頻度に基づいて、前記申込ユニット価格を算出することを特徴とする広告表示サーバ装置。
【請求項９】
請求項１から請求項８のいずれか１項に記載の広告表示サーバ装置において、
前記キーワードの申込期限の情報を前記広告主端末装置に送信する申込期間送信手段を更に備えたことを特徴とする広告表示サーバ装置。
【請求項１０】
請求項１から請求項９のいずれか１項に記載の広告表示サーバ装置において、
前記広告用キーワード、前記申込ユニット数、および、広告コンテンツを関連付けて記憶する記憶手段を更に備えたことを特徴とする広告表示サーバ装置。
【請求項１１】
ネットワークを介して複数の広告主端末装置およびユーザ端末装置に接続された広告表示サーバ装置の広告表示方法であって、
前記広告表示サーバ装置が、前記広告主端末装置から広告用キーワードを受信する広告用キーワード受信ステップと、
前記広告表示サーバ装置が、複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出ステップと、
前記広告表示サーバ装置が、前記申込ユニット価格の情報を前記広告主端末装置に送信する申込ユニット価格送信ステップと、
前記広告表示サーバ装置が、前記申込ユニット価格で前記広告用キーワードに対して申し込まれた申込ユニット数の情報を前記広告主端末装置から受信する申込ユニット数受信ステップと、
前記広告表示サーバ装置が、前記ユーザ端末装置から検索用キーワードを受信する検索用キーワード受信ステップと、
前記広告表示サーバ装置が、前記検索用キーワードを受信した際、前記広告用キーワード、前記申込ユニット数、および、広告コンテンツを関連付けて記憶手段に記憶する記憶手段内を参照して、前記検索用キーワードと関連する広告用キーワード決定し、当該決定された広告用キーワードに関連付けて記憶された前記申込ユニット数をおよび広告コンテンツを抽出する広告抽出ステップと、
前記広告表示サーバ装置が、前記抽出された広告コンテンツを表示するための表示優先順位を、前記申込ユニット数に基づき決定する表示優先順位決定ステップと、
を含むことを特徴とする広告表示方法。
【請求項１２】
ネットワークを介して複数の広告主端末装置およびユーザ端末装置に接続された広告表示サーバ装置用のプログラムであって、
コンピュータを、
前記広告主端末装置から広告用キーワードを受信する広告用キーワード受信手段、
複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出手段、
前記申込ユニット価格の情報を前記広告主端末装置に送信する申込ユニット価格送信手段、
前記申込ユニット価格で前記広告用キーワードに対して申し込まれた申込ユニット数の情報を前記広告主端末装置から受信する申込ユニット数受信手段、
前記ユーザ端末装置から検索用キーワードを受信する検索用キーワード受信手段、
前記検索用キーワードを受信した際、前記広告用キーワード、前記申込ユニット数、広告主を特定する情報、および、広告コンテンツを関連付けて記憶する記憶手段内を参照して、前記検索用キーワードと関連する広告用キーワードを決定し、当該決定された広告用キーワードに関連付けて記憶された前記申込ユニット数および広告コンテンツを抽出する広告抽出手段、および、
前記抽出された広告コンテンツを表示するための表示優先順位を、前記申込ユニット数に基づき決定する表示優先順位決定手段として機能させることを特徴とする広告表示サーバ装置用のプログラム。
【手続補正２】
【補正対象書類名】明細書
【補正対象項目名】０００６
【補正方法】変更
【補正の内容】
【０００６】
上記課題を解決するために、請求項１に記載の発明は、ネットワークを介して複数の広告主端末装置およびユーザ端末装置に接続された広告表示サーバ装置であって、前記広告主端末装置から広告用キーワードを受信する広告用キーワード受信手段と、複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出手段と、前記申込ユニット価格の情報を前記広告主端末装置に送信する申込ユニット価格送信手段と、前記申込ユニット価格で前記広告用キーワードに対して申し込まれた申込ユニット数の情報を前記広告主端末装置から受信する申込ユニット数受信手段と、前記ユーザ端末装置から検索用キーワードを受信する検索用キーワード受信手段と、前記検索用キーワードを受信した際、前記広告用キーワード、前記申込ユニット数、および、広告コンテンツを関連付けて記憶する記憶手段内を参照して、前記検索用キーワードと関連する広告用キーワードを決定し、当該決定された広告用キーワードに関連付けて記憶された前記申込ユニット数および広告コンテンツを抽出する広告抽出手段と、前記抽出された広告コンテンツを表示するための表示優先順位を、前記申込ユニット数に基づき決定する表示優先順位決定手段と、を備えたことを特徴とする。
【手続補正３】
【補正対象書類名】明細書
【補正対象項目名】０００８
【補正方法】変更
【補正の内容】
【０００８】
請求項３に記載の発明は、請求項２に記載の広告表示サーバ装置において、前記広告リスト生成手段が、所定の数の前記広告コンテンツを前記広告リストに配列し、前記広告リストに広告コンテンツが配列された場合に、当該広告リストに配列された広告コンテンツと関連付けて前記記憶手段に記憶されている前記申込ユニット数を減算する申込ユニット数減算手段を更に備えたことを特徴とする。
【手続補正４】
【補正対象書類名】明細書
【補正対象項目名】００１１
【補正方法】変更
【補正の内容】
【００１１】
請求項６に記載の発明は、請求項１から請求項５のいずれか１項に記載の広告表示サーバ装置において、前記申込ユニット価格算出手段は、複数の前記広告主端末装置からの申込ユニット数の合計に基づいて、前記申込ユニット価格を算出することを特徴とする。
【手続補正５】
【補正対象書類名】明細書
【補正対象項目名】００１４
【補正方法】変更
【補正の内容】
【００１４】
請求項９に記載の発明は、請求項１から請求項８のいずれか１項に記載の広告表示サーバ装置において、前記キーワードの申込期限の情報を前記広告主端末装置に送信する申込期間送信手段を更に備えたことを特徴とする。また、請求項１０に記載の発明は、請求項１から請求項９のいずれか１項に記載の広告表示サーバ装置において、前記広告用キーワード、前記申込ユニット数、および、広告コンテンツを関連付けて記憶する記憶手段を更に備えたことを特徴とする。
【手続補正６】
【補正対象書類名】明細書
【補正対象項目名】００１５
【補正方法】変更
【補正の内容】
【００１５】
請求項１１に記載の発明は、ネットワークを介して複数の広告主端末装置およびユーザ端末装置に接続された広告表示サーバ装置の広告表示方法であって、前記広告表示サーバ装置が、前記広告主端末装置から広告用キーワードを受信する広告用キーワード受信ステップと、前記広告表示サーバ装置が、複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出ステップと、前記広告表示サーバ装置が、前記申込ユニット価格の情報を前記広告主端末装置に送信する申込ユニット価格送信ステップと、前記広告表示サーバ装置が、前記申込ユニット価格で前記広告用キーワードに対して申し込まれた申込ユニット数の情報を前記広告主端末装置から受信する申込ユニット数受信ステップと、前記広告表示サーバ装置が、前記ユーザ端末装置から検索用キーワードを受信する検索用キーワード受信ステップと、前記広告表示サーバ装置が、前記検索用キーワードを受信した際、前記広告用キーワード、前記申込ユニット数、および、広告コンテンツを関連付けて記憶手段に記憶する記憶手段内を参照して、前記検索用キーワードと関連する広告用キーワード決定し、当該決定された広告用キーワードに関連付けて記憶された前記申込ユニット数をおよび広告コンテンツを抽出する広告抽出ステップと、前記広告表示サーバ装置が、前記抽出された広告コンテンツを表示するための表示優先順位を、前記申込ユニット数に基づき決定する表示優先順位決定ステップと、を含むことを特徴とする。
【手続補正７】
【補正対象書類名】明細書
【補正対象項目名】００１６
【補正方法】変更
【補正の内容】
【００１６】
請求項１２に記載の発明は、ネットワークを介して複数の広告主端末装置およびユーザ端末装置に接続された広告表示サーバ装置用のプログラムであって、コンピュータを、前記広告主端末装置から広告用キーワードを受信する広告用キーワード受信手段、複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出手段、前記申込ユニット価格の情報を前記広告主端末装置に送信する申込ユニット価格送信手段、前記申込ユニット価格で前記広告用キーワードに対して申し込まれた申込ユニット数の情報を前記広告主端末装置から受信する申込ユニット数受信手段、前記ユーザ端末装置から検索用キーワードを受信する検索用キーワード受信手段、前記検索用キーワードを受信した際、前記広告用キーワード、前記申込ユニット数、広告主を特定する情報、および、広告コンテンツを関連付けて記憶する記憶手段内を参照して、前記検索用キーワードと関連する広告用キーワードを決定し、当該決定された広告用キーワードに関連付けて記憶された前記申込ユニット数および広告コンテンツを抽出する広告抽出手段、および、前記抽出された広告コンテンツを表示するための表示優先順位を、前記申込ユニット数に基づき決定する表示優先順位決定手段として機能させることを特徴とする。